(57)【要約】【課題】筐体への組み付け作業が容易に行える構造を持った移動体通信端末用アンテナ装置を提供すること。【解決手段】常時は筐体に収容されており該筐体から引き出して使用される棒状アンテナＷＡ、および前記筐体内のキャリアＣＲに取り付けられた状態で使用される内蔵アンテナＩＡを有し、前記棒状アンテナの収容時は前記内蔵アンテナが使用され、前記棒状アンテナを引き出す際に前記棒状アンテナ近傍に設けられた切換スイッチＳＷが操作されることにより前記内蔵アンテナから前記棒状アンテナに切り換えられる移動体通信端末用アンテナ装置において、前記棒状アンテナに装着されて前記筐体と前記キャリアとの間に保持され、前記棒状アンテナの収容および引出し操作に応じて作動し、前記切換スイッチを切換動作させる要素を有するホルダＨＬと、前記筐体に装着されることにより前記ホルダに係合して該ホルダを保持するキャリアＣＲと、をそなえたことを特徴とする移動体通信端末用アンテナ装置。【選択図】　図１
2004088624.tif 000002
【特許請求の範囲】
【請求項１】
常時は筐体に収容されており該筐体から引き出して使用される棒状アンテナ、および前記筐体内のキャリアに取り付けられた状態で使用される内蔵アンテナを有し、前記棒状アンテナの収容時は前記内蔵アンテナが使用され、前記棒状アンテナを引き出す際に前記棒状アンテナ近傍に設けられた切換スイッチが操作されることにより前記内蔵アンテナから前記棒状アンテナに切り換えられる移動体通信端末用アンテナ装置において、
前記棒状アンテナに装着されて前記筐体と前記キャリアとの間に保持され、前記棒状アンテナの収容および引出し操作に応じて作動し、前記切換スイッチを切換動作させる要素を有するホルダと、
前記筐体に装着されることにより前記ホルダに係合して該ホルダを保持するキャリアと、
をそなえたことを特徴とする移動体通信端末用アンテナ装置。
【請求項２】
請求項１記載の移動体通信端末用アンテナ装置において、
前記筐体および前記ホルダは、互いに係合することにより前記ホルダに前記筐体に対する回り止めを施した移動体通信端末用アンテナ装置。
【請求項３】
請求項１記載の移動体通信端末用アンテナ装置において、
前記ホルダは、一端にフランジを有し、かつほぼ円筒状であり、前記フランジ近傍に前記筐体との係合部を有する移動体通信端末用アンテナ装置。
【請求項４】
請求項３記載の移動体通信端末用アンテナ装置において、
前記係合部は、前記ホルダおよび前記筐体の一方に凸部が、他方に凹部が設けられてなる移動体通信端末用アンテナ装置。
【発明の詳細な説明】
【０００１】
【産業上の利用分野】
本発明は、移動体通信端末用アンテナ装置に係り、とくに筐体への組み込み作業を容易に行える構造を持ったものに関する。
【０００２】
【従来の技術】
従来、この種のアンテナ装置は、図７に示すように構成されている。図７は、移動体通信端末の一例としての携帯電話の内部構造を示したものである。そして、図示の場合、携帯電話の筐体ＣＳ内に、回路基板ＰＢとともに引出し式の棒状アンテナＷＡとキャリアＣＲの面に貼設等により設けた内蔵アンテナＩＡとを設けている。
【０００３】
これら両アンテナＷＡ，ＩＡは切り換えて使用されるもので、図示のように棒状アンテナＷＡを筐体ＣＳ内に収容しているときと、筐体ＣＳから引き出したときとで、棒状アンテナＷＡに組み付けられたカムＣＭの位置が変化し、これによりスイッチＳＷを作動させてアンテナの切換を行う。
【０００４】
棒状アンテナＷＡには、先端に設けられたアンテナトップＴＰ、および反対端に設けられたストッパＳＴにより規制される範囲で図示左右方向に摺動することができる。ただし、アンテナトップＴＰは、筐体ＣＳへの組み込み後に取り付けられるものである。
【０００５】
【発明が解決しようとする課題】
ここで、棒状アンテナＷＡおよび内蔵アンテナＩＡは、ともにキャリアＣＲに対して一体的に組み立てられており、筐体ＣＳに組み込んだ上で棒状アンテナＷＡにアンテナトップＴＰを成型加工により取り付ける。
【０００６】
すなわち、アンテナトップＴＰという小さな部品を取り付けるとき、棒状アンテナＷＡには筐体ＣＳおよびその内蔵要素が一体的に組み付けられた状態になっている。
【０００７】
このため、アンテナトップ取り付けの作業性が悪く、筐体を傷付ける虞もあるという難点がある。
【０００８】
本発明は上述の点を考慮してなされたもので、筐体への組み付け作業が容易に行える構造を持った移動体通信端末用アンテナ装置を提供することを目的とする。
【０００９】
【課題を解決するための手段】
上記目的達成のため、本発明では、
常時は筐体に収容されており該筐体から引き出して使用される棒状アンテナ、および前記筐体内のキャリアに取り付けられた状態で使用される内蔵アンテナを有し、前記棒状アンテナの収容時は前記内蔵アンテナが使用され、前記棒状アンテナを引き出す際に前記棒状アンテナ近傍に設けられた切換スイッチが操作されることにより前記内蔵アンテナから前記棒状アンテナに切り換えられる移動体通信端末用アンテナ装置において、前記棒状アンテナに装着されて前記筐体と前記キャリアとの間に保持され、前記棒状アンテナの収容および引出し操作に応じて作動し、前記切換スイッチを切換動作させる要素を有するホルダと、前記筐体に装着されることにより前記ホルダに係合して該ホルダを保持するキャリアと、をそなえたことを特徴とする移動体通信端末用アンテナ装置、
を提供するものである。
【００１０】
【発明の実施の形態】
図１は、本発明の一実施例をその組立工程によって示したものである。図１に示すように、棒状アンテナＷＡは、一端にアンテナトップＴＰが、また他端にストッパＳＴが固着されている。そして、棒状アンテナＷＡのトップ寄り位置には、金属製のアンテナ伸長部ＥＸが設けられており、この伸長部ＥＸの長さだけ棒状アンテナＷＡの全長を伸ばすことができる。
【００１１】
このアンテナ伸長部ＥＸの外周に、樹脂製のホルダＨＬが嵌装されており、このホルダＨＬの図示右側にはチューブＴＵが延設されている。ホルダＨＬは、ほぼ円筒状をなしており、一端にフランジが設けられていて他端は開口であり、後述するように、筐体ＣＳに対して所定の向きになったときにフランジの部分まで深く挿入されて固定される。
【００１２】
これにより、棒状アンテナＷＡは、ホルダＨＬおよびチューブＴＵの内部穴に沿って案内され摺動することができる。
【００１３】
このように構成された棒状アンテナは、ストッパＳＴを先頭にして筐体ＣＳの肩部に形成されたアンテナ穴から筐体ＣＳの内部に挿入される（工程１）。そして、ホルダＨＬがアンテナ穴に対して所定の向きを取ると、ホルダＨＬがアンテナ穴に嵌入され、アンテナ穴の図示左端に、ホルダＨＬのフランジが当接した状態となる。
【００１４】
次いで、筐体ＣＳに、図示上面に内蔵アンテナＩＡが取り付けられたキャリアＣＲを、図示下側から組み付ける（工程２）。キャリアＣＲは、後述するように、筐体ＣＳに設けられた２本のボスが通る穴ＨＢを有し、このボスを用いて筐体ＣＳに固定される。キャリアＣＲには、後述する回路基板ＰＢに取り付けられた切換スイッチＳＷを操作するための開口ＯＰが設けられている。
【００１５】
このとき、キャリアＣＲは、キャリアＣＲに設けられた図示しない突起がホルダＨＬに明けられた穴に嵌入してホルダＨＬがキャリアＣＲから抜け落ちないように支持する。また、回路基板ＰＢ（またはキャリアＣＲ）等に設けられた切換スイッチＳＷに、ホルダＨＬに設けられたカム（後述）が前記キャリアＣＲの開口ＯＰを介して対向し係合する。
【００１６】
その後、キャリアＣＲの図示下側から回路基板ＰＢを当接し、筐体ＣＳのボスを利用してキャリアＣＲとともにネジ止めする（工程３）。これにより、筐体ＣＳに対して棒状アンテナＷＡ、内蔵アンテナＩＡを持ったキャリアＣＲおよび回路基板ＰＢが相互に固定された状態となる。
【００１７】
図２は、図１に示す棒状アンテナＷＡに嵌装されたホルダＨＬにおける、カムＣＭが見える角度からの状態を示した図である。この図２に示すように、カムＣＭは棒状アンテナＷＡの軸方向に対して斜めのカム面を持っている。そして、棒状アンテナＷＡの図示左右方向の移動に応じてホルダＨＬが棒状アンテナＷＡの長さ方向に沿って移動し、これに伴いカムＣＭが図示左右方向に移動すると、カム面が図１に示した切換スイッチＳＷの作動子（図示せず）と協働して切換スイッチＳＷの切換動作を行う。切換スイッチＳＷは、棒状アンテナＷＡの近傍、たとえば回路基板とか、キャリアに設けられる。
【００１８】
図３は、棒状アンテナＷＡが筐体ＣＳによって保持された状態を示している。棒状アンテナＷＡのホルダＨＬにおける反トップ側端部からストッパＳＴが設けられた側に向ってはチューブＴＵにより覆われている。このチューブＴＵは、棒状アンテナＷＡを摺動案内するものであるが、同時に筐体ＣＳに設けられたアンテナ溝に保持されていて、棒状アンテナＷＡを筐体ＣＳに対して固定する機能も持っている。
【００１９】
図４は、図３の状態に続く状態を示しており、筐体ＣＳにキャリアＣＲを組み付けた状態を示している。図示するように、キャリアＣＲは、筐体ＣＳのボスを通す２つのボス穴を有し、これらボス穴に筐体ＣＳのボスを嵌合させることによりキャリアＣＲが筐体ＣＳに固定される。
【００２０】
図５は、図４に続く状態を示したもので、筐体ＣＳの裏面からキャリアＣＲを覆うように回路基板ＰＢを配して、キャリアＣＲとともに回路基板ＰＢを筐体ＣＳに固定する。
【００２１】
図６は、図１により説明した筐体ＣＳに棒状アンテナＷＡを挿入する際の、棒状アンテナＷＡに嵌装されたホルダＨＬと筐体ＣＳとの構造的関係を示したものである。図示の都合上、棒状アンテナＷＡは図示していない。
【００２２】
筐体ＣＳのアンテナ穴には、ホルダＨＬのフランジＨＬ１が係止する鍔部ＣＳ１が設けられており、この鍔部の一部に凹部が形成されている。これに対応して、ホルダＨＬのフランジＨＬ１の下には凸部ＨＬ２（破線図示）が形成されており、この凸部ＨＬ２が筐体ＣＳの凹部ＣＳ２に嵌合する位置でホルダＨＬは筐体ＣＳに嵌合する。
【００２３】
（変形例）
上記実施例では、ホルダＨＬとキャリアＣＲとの係合構造は、ホルダＨＬに設けられた穴にキャリアＣＲの突起が嵌入することとしているが、この具体的構造は種々選択することができる。
【００２４】
また、棒状アンテナＷＡとして伸長性のものを例示したが、伸長性でなくてもホルダＨＬを設け得るものであれば、本発明を適用することができる。
【００２５】
また、上記実施例では棒状アンテナＷＡに対するアンテナトップＴＰ、ストッパＳＴ、伸長部ＥＸの固定構造等はとくに示していないが、これらは適宜選択することができる。
【００２６】
【発明の効果】
本発明は上述のように、棒状アンテナに装着されるホルダを筐体に装着されるキャリアにより保持するようにしたため、棒状アンテナを内蔵アンテナを含む他の要素とは別体として用意し、アンテナトップの取り付け後に他の要素と組合せて筐体に組み込むことができる。このため、従来の棒状アンテナを内蔵アンテナを含む他の要素と一体に構成してから筐体に組み込むアンテナ装置に比べて組立の作業性が大幅に改善され、しかも組立に際して筐体を傷付けることがないという効果を相する。
【図面の簡単な説明】
【図１】本発明の一実施例の組立工程を示す説明図。
【図２】図１の実施例における棒状アンテナの構造を示す図。
【図３】携帯情報端末の一例としての携帯電話機への棒状アンテナの組み込み状態を示す斜視図。
【図４】図３の状態に続いてキャリアを組み込んだ状態を示す説明図。
【図５】図４の状態に続いて回路基板を組み込んだ状態を示す説明図。
【図６】図１ないし図５に示した実施例におけるホルダと筐体との位置決め構造を示す斜視図。
【図７】従来の携帯電話機におけるアンテナ装置の構造を示す図。
【符号の説明】
ＷＡ　棒状アンテナ
ＨＬ　ホルダ
ＥＸ　伸長部
ＴＵ　チューブ
ＳＴ　ストッパ
ＣＳ　筐体
ＣＲ　キャリア
ＰＢ　回路基板
ＩＡ　内蔵アンテナ
ＳＷ　切換スイッチ
ＨＢ　ボス穴
ＯＰ　開口
ＴＰ　アンテナトップ
ＣＭ　カム
【図１】
2004088624.tif 000003
【図２】
2004088624.tif 000004
【図３】
2004088624.tif 000005
【図４】
2004088624.tif 000006
【図５】
2004088624.tif 000007
【図６】
2004088624.tif 000008
【図７】
2004088624.tif 000009